【手続補正書】
【提出日】平成25年2月22日(2013.2.22)
【手続補正１】
【補正対象書類名】特許請求の範囲
【補正対象項目名】全文
【補正方法】変更
【補正の内容】
【特許請求の範囲】
【請求項１】
動画像の各ピクチャを分割したブロック単位で動きベクトルを用いて符号化された符号列を復号する画像復号装置であって、
前記符号列から復号対象ブロックごとに、画像間予測モードを示す予測モード情報と参照ブロックのインデックス、または画像間予測モードを示す予測モード情報と参照ブロックのインデックスと参照ブロックに対応した差分動きベクトルとを復号する符号列復号部と、
前記復号対象ブロックの複数の参照ブロック候補の符号化情報を取得する取得部と、
前記符号列復号部により復号された予測モード情報の示す画像間予測モードが、インデックスによって特定される参照ブロックの前記符号化情報が備える動きベクトルの情報を用いる第１の画像間予測モードである場合に、第１の所定順位に基づいて前記複数の参照ブロック候補から第１の候補リストを生成し、前記符号列復号部により復号された参照ブロックのインデックスをもとに、前記第１の候補リストから前記復号対象ブロックの参照ブロックを特定し、その符号化情報を出力する第１のモード出力部と、
前記符号列復号部により復号された予測モード情報の示す画像間予測モードが、インデックスによって特定される参照ブロックに対応した差分動きベクトルを用いる第２の画像間予測モードである場合に、第２の所定順位に基づいて前記複数の参照ブロック候補から第２の候補リストを生成し、前記符号列復号部により復号された参照ブロックのインデックスをもとに、前記第２の候補リストから前記復号対象ブロックの参照ブロックを特定し、当該参照ブロックの前記符号化情報が備える動きベクトルの情報に基づく予測動きベクトルと前記符号列復号部により復号された差分動きベクトルから前記復号対象ブロックの動きベクトルを算出して出力する第２のモード出力部と、
前記第１のモード出力部または前記第２のモード出力部から出力された情報をもとに、前記符号列復号部により復号された予測モード情報の示す画像間予測モードを用いて動き補償を行い予測画像を生成する動き補償予測部と、を備え、
前記第１のモード出力部及び前記第２のモード出力部は、前記複数の参照ブロック候補として、共通の複数のブロックを使用し、前記第１のモード出力部により生成される前記第１の候補リストに参照ブロック候補を配列する為の前記第１の所定順位と、前記第２のモード出力部により生成される前記第２の候補リストに参照ブロック候補を配列する為の前記第２の所定順位は異なる、
ことを特徴とする画像復号装置。
【請求項２】
動画像の各ピクチャを分割したブロック単位で動きベクトルを用いて符号化された符号列を復号する画像復号方法であって、
前記符号列から復号対象ブロックごとに、画像間予測モードを示す予測モード情報と参照ブロックのインデックス、または画像間予測モードを示す予測モード情報と参照ブロックのインデックスと参照ブロックに対応した差分動きベクトルとを復号する第１ステップと、
前記復号対象ブロックの複数の参照ブロック候補の符号化情報を取得する第２ステップと、
前記第１ステップにより復号された予測モード情報の示す画像間予測モードが、インデックスによって特定される参照ブロックの前記符号化情報が備える動きベクトルの情報を用いる第１の画像間予測モードである場合に、第１の所定順位に基づいて前記複数の参照ブロック候補から第１の候補リストを生成し、前記第１ステップにより復号された参照ブロックのインデックスをもとに、前記第１の候補リストから前記復号対象ブロックの参照ブロックを特定し、その符号化情報を出力する第３ステップと、
前記第１ステップにより復号された予測モード情報の示す画像間予測モードが、インデックスによって特定される参照ブロックに対応した差分動きベクトルを用いる第２の画像間予測モードである場合に、第２の所定順位に基づいて前記複数の参照ブロック候補から第２の候補リストを生成し、前記第１ステップにより復号された参照ブロックのインデックスをもとに、前記第２の候補リストから前記復号対象ブロックの参照ブロックを特定し、当該参照ブロックの前記符号化情報が備える動きベクトルの情報に基づく予測動きベクトルと前記第１ステップにより復号された差分動きベクトルから前記復号対象ブロックの動きベクトルを算出して出力する第４ステップと、
前記第３ステップまたは前記第４ステップにより出力された情報をもとに、前記第１ステップにより復号された予測モード情報の示す画像間予測モードを用いて動き補償を行い予測画像を生成する第５ステップと、を備え、
前記第３ステップ及び前記第４ステップは、前記複数の参照ブロック候補として、共通の複数のブロックを使用し、前記第３ステップにおいて生成される前記第１の候補リストに参照ブロック候補を配列する為の前記第１の所定順位と、前記第４ステップにおいて生成される前記第２の候補リストに参照ブロック候補を配列する為の前記第２の所定順位は異なる、
ことを特徴とする画像復号方法。
【請求項３】
動画像の各ピクチャを分割したブロック単位で動きベクトルを用いて符号化された符号列を復号する画像復号プログラムであって、
前記符号列から復号対象ブロックごとに、画像間予測モードを示す予測モード情報と参照ブロックのインデックス、または画像間予測モードを示す予測モード情報と参照ブロックのインデックスと参照ブロックに対応した差分動きベクトルとを復号する第１処理と、
前記復号対象ブロックの複数の参照ブロック候補の符号化情報を取得する第２処理と、
前記第１処理により復号された予測モード情報の示す画像間予測モードが、インデックスによって特定される参照ブロックの前記符号化情報が備える動きベクトルの情報を用いる第１の画像間予測モードである場合に、第１の所定順位に基づいて前記複数の参照ブロック候補から第１の候補リストを生成し、前記第１処理により復号された参照ブロックのインデックスをもとに、前記第１の候補リストから前記復号対象ブロックの参照ブロックを特定し、その符号化情報を出力する第３処理と、
前記第１処理により復号された予測モード情報の示す画像間予測モードが、インデックスによって特定される参照ブロックに対応した差分動きベクトルを用いる第２の画像間予測モードである場合に、第２の所定順位に基づいて前記複数の参照ブロック候補から第２の候補リストを生成し、前記第１処理により復号された参照ブロックのインデックスをもとに、前記第２の候補リストから前記復号対象ブロックの参照ブロックを特定し、当該参照ブロックの前記符号化情報が備える動きベクトルの情報に基づく予測動きベクトルと前記第１処理により復号された差分動きベクトルから前記復号対象ブロックの動きベクトルを算出して出力する第４処理と、
前記第３処理または前記第４処理により出力された情報をもとに、前記第１処理により復号された予測モード情報の示す画像間予測モードを用いて動き補償を行い予測画像を生成する第５処理と、をコンピュータに実行させ、
前記第３処理及び前記第４処理は、前記複数の参照ブロック候補として、共通の複数のブロックを使用し、前記第３処理において生成される前記第１の候補リストに参照ブロック候補を配列する為の前記第１の所定順位と、前記第４処理において生成される前記第２の候補リストに参照ブロック候補を配列する為の前記第２の所定順位は異なる、
ことを特徴とする画像復号プログラム。
【請求項４】
動画像が符号化された符号列を受信して復号する受信装置であって、
動画像の各ピクチャを分割したブロック単位で動きベクトルを用いて符号化された符号列がパケット化された符号化ストリームを受信する受信部と、
受信された前記パケット化された符号化ストリームをパケット処理して元の符号列を復元する復元部と、
復元された前記元の符号列から復号対象ブロックごとに、画像間予測モードを示す予測モード情報と参照ブロックのインデックス、または画像間予測モードを示す予測モード情報と参照ブロックのインデックスと参照ブロックに対応した差分動きベクトルとを復号する符号列復号部と、
前記復号対象ブロックの複数の参照ブロック候補の符号化情報を取得する取得部と、
前記符号列復号部により復号された予測モード情報の示す画像間予測モードが、インデックスによって特定される参照ブロックの前記符号化情報が備える動きベクトルの情報を用いる第１の画像間予測モードである場合に、第１の所定順位に基づいて前記複数の参照ブロック候補から第１の候補リストを生成し、前記符号列復号部により復号された参照ブロックのインデックスをもとに、前記第１の候補リストから前記復号対象ブロックの参照ブロックを特定し、その符号化情報を出力する第１のモード出力部と、
前記符号列復号部により復号された予測モード情報の示す画像間予測モードが、インデックスによって特定される参照ブロックに対応した差分動きベクトルを用いる第２の画像間予測モードである場合に、第２の所定順位に基づいて前記複数の参照ブロック候補から第２の候補リストを生成し、前記符号列復号部により復号された参照ブロックのインデックスをもとに、前記第２の候補リストから前記復号対象ブロックの参照ブロックを特定し、当該参照ブロックの前記符号化情報が備える動きベクトルの情報に基づく予測動きベクトルと前記符号列復号部により復号された差分動きベクトルから前記復号対象ブロックの動きベクトルを算出して出力する第２のモード出力部と、
前記第１のモード出力部または前記第２のモード出力部から出力された情報をもとに、前記符号列復号部により復号された予測モード情報の示す画像間予測モードを用いて動き補償を行い予測画像を生成する動き補償予測部と、を備え、
前記第１のモード出力部及び前記第２のモード出力部は、前記複数の参照ブロック候補として、共通の複数のブロックを使用し、前記第１のモード出力部により生成される前記第１の候補リストに参照ブロック候補を配列する為の前記第１の所定順位と、前記第２のモード出力部により生成される前記第２の候補リストに参照ブロック候補を配列する為の前記第２の所定順位は異なる、
ことを特徴とする受信装置。
【請求項５】
動画像が符号化された符号列を受信して復号する受信方法であって、
動画像の各ピクチャを分割したブロック単位で動きベクトルを用いて符号化された符号列がパケット化された符号化ストリームを受信する受信ステップと、
受信された前記パケット化された符号化ストリームをパケット処理して元の符号列を復元する復元ステップと、
復元された前記元の符号列から復号対象ブロックごとに、画像間予測モードを示す予測モード情報と参照ブロックのインデックス、または画像間予測モードを示す予測モード情報と参照ブロックのインデックスと参照ブロックに対応した差分動きベクトルとを復号する第１ステップと、
前記復号対象ブロックの複数の参照ブロック候補の符号化情報を取得する第２ステップと、
前記第１ステップにより復号された予測モード情報の示す画像間予測モードが、インデックスによって特定される参照ブロックの前記符号化情報が備える動きベクトルの情報を用いる第１の画像間予測モードである場合に、第１の所定順位に基づいて前記複数の参照ブロック候補から第１の候補リストを生成し、前記第１ステップにより復号された参照ブロックのインデックスをもとに、前記第１の候補リストから前記復号対象ブロックの参照ブロックを特定し、その符号化情報を出力する第３ステップと、
前記第１ステップにより復号された予測モード情報の示す画像間予測モードが、インデックスによって特定される参照ブロックに対応した差分動きベクトルを用いる第２の画像間予測モードである場合に、第２の所定順位に基づいて前記複数の参照ブロック候補から第２の候補リストを生成し、前記第１ステップにより復号された参照ブロックのインデックスをもとに、前記第２の候補リストから前記復号対象ブロックの参照ブロックを特定し、当該参照ブロックの前記符号化情報が備える動きベクトルの情報に基づく予測動きベクトルと前記第１ステップにより復号された差分動きベクトルから前記復号対象ブロックの動きベクトルを算出して出力する第４ステップと、
前記第３ステップまたは前記第４ステップにより出力された情報をもとに、前記第１ステップにより復号された予測モード情報の示す画像間予測モードを用いて動き補償を行い予測画像を生成する第５ステップと、を備え、
前記第３ステップ及び前記第４ステップは、前記複数の参照ブロック候補として、共通の複数のブロックを使用し、前記第３ステップにおいて生成される前記第１の候補リストに参照ブロック候補を配列する為の前記第１の所定順位と、前記第４ステップにおいて生成される前記第２の候補リストに参照ブロック候補を配列する為の前記第２の所定順位は異なる、
ことを特徴とする受信方法。
【請求項６】
動画像が符号化された符号列を受信して復号する受信プログラムであって、
動画像の各ピクチャを分割したブロック単位で動きベクトルを用いて符号化された符号列がパケット化された符号化ストリームを受信する受信処理と、
受信された前記パケット化された符号化ストリームをパケット処理して元の符号列を復元する復元処理と、
復元された前記元の符号列から復号対象ブロックごとに、画像間予測モードを示す予測モード情報と参照ブロックのインデックス、または画像間予測モードを示す予測モード情報と参照ブロックのインデックスと参照ブロックに対応した差分動きベクトルとを復号する第１処理と、
前記復号対象ブロックの複数の参照ブロック候補の符号化情報を取得する第２処理と、
前記第１処理により復号された予測モード情報の示す画像間予測モードが、インデックスによって特定される参照ブロックの前記符号化情報が備える動きベクトルの情報を用いる第１の画像間予測モードである場合に、第１の所定順位に基づいて前記複数の参照ブロック候補から第１の候補リストを生成し、前記第１処理により復号された参照ブロックのインデックスをもとに、前記第１の候補リストから前記復号対象ブロックの参照ブロックを特定し、その符号化情報を出力する第３処理と、
前記第１処理により復号された予測モード情報の示す画像間予測モードが、インデックスによって特定される参照ブロックに対応した差分動きベクトルを用いる第２の画像間予測モードである場合に、第２の所定順位に基づいて前記複数の参照ブロック候補から第２の候補リストを生成し、前記第１処理により復号された参照ブロックのインデックスをもとに、前記第２の候補リストから前記復号対象ブロックの参照ブロックを特定し、当該参照ブロックの前記符号化情報が備える動きベクトルの情報に基づく予測動きベクトルと前記第１処理により復号された差分動きベクトルから前記復号対象ブロックの動きベクトルを算出して出力する第４処理と、
前記第３処理または前記第４処理により出力された情報をもとに、前記第１処理により復号された予測モード情報の示す画像間予測モードを用いて動き補償を行い予測画像を生成する第５処理と、をコンピュータに実行させ、
前記第３処理及び前記第４処理は、前記複数の参照ブロック候補として、共通の複数のブロックを使用し、前記第３処理において生成される前記第１の候補リストに参照ブロック候補を配列する為の前記第１の所定順位と、前記第４処理において生成される前記第２の候補リストに参照ブロック候補を配列する為の前記第２の所定順位は異なる、
ことを特徴とする受信プログラム。
【手続補正２】
【補正対象書類名】明細書
【補正対象項目名】発明の名称
【補正方法】変更
【補正の内容】
【発明の名称】画像復号装置、画像復号方法、画像復号プログラム、受信装置、受信方法、及び受信プログラム
【手続補正３】
【補正対象書類名】明細書
【補正対象項目名】００１２
【補正方法】変更
【補正の内容】
【００１２】
上記課題を解決するために、本発明のある態様の画像復号装置は、動画像の各ピクチャを分割したブロック単位で動きベクトルを用いて符号化された符号列を復号する画像復号装置であって、前記符号列から復号対象ブロックごとに、画像間予測モードを示す予測モード情報と参照ブロックのインデックス、または画像間予測モードを示す予測モード情報と参照ブロックのインデックスと参照ブロックに対応した差分動きベクトルとを復号する符号列復号部（２０２）と、各ブロックの符号化情報を格納するための符号化情報格納部（２１０）と、前記復号対象ブロックの複数の参照ブロック候補の符号化情報を取得する取得部（２０５）と、前記符号列復号部（２０２）により復号された予測モード情報の示す画像間予測モードが、インデックスによって特定される参照ブロックの前記符号化情報が備える動きベクトルの情報を用いる第１の画像間予測モードである場合に、第１の所定順位に基づいて前記複数の参照ブロック候補から第１の候補リストを生成し、前記符号列復号部（２０２）により復号された参照ブロックのインデックスをもとに、前記第１の候補リストから前記復号対象ブロックの参照ブロックを特定し、その符号化情報を出力する第１のモード出力部（２０６）と、前記符号列復号部（２０２）により復号された予測モード情報の示す画像間予測モードが、インデックスによって特定される参照ブロックに対応した差分動きベクトルを用いる第２の画像間予測モードである場合に、第２の所定順位に基づいて前記複数の参照ブロック候補から第２の候補リストを生成し、前記符号列復号部により復号された参照ブロックのインデックスをもとに、前記第２の候補リストから前記復号対象ブロックの参照ブロックを特定し、当該参照ブロックの前記符号化情報が備える動きベクトルの情報に基づく予測動きベクトルと前記符号列復号部（２０２）により復号された差分動きベクトルから前記復号対象ブロックの動きベクトルを算出して出力する第２のモード出力部（２０４）と、前記第１のモード出力部（２０６）または前記第２のモード出力部（２０４）から出力された情報をもとに、前記符号列復号部（２０２）により復号された予測モード情報の示す画像間予測モードを用いて動き補償を行い予測画像を生成する動き補償予測部（２０７）と、を備える。前記第１のモード出力部（２０６）及び前記第２のモード出力部（２０４）は、前記複数の参照ブロック候補として、共通の複数のブロックを使用し、前記第１のモード出力部（２０６）により生成される前記第１の候補リストに参照ブロック候補を配列する為の前記第１の所定順位と、前記第２のモード出力部（２０４）により生成される前記第２の候補リストに参照ブロック候補を配列する為の前記第２の所定順位は異なる。
【手続補正４】
【補正対象書類名】明細書
【補正対象項目名】００１３
【補正方法】変更
【補正の内容】
【００１３】
本発明の別の態様は、画像復号方法である。この方法は、動画像の各ピクチャを分割したブロック単位で動きベクトルを用いて符号化された符号列を復号する画像復号方法であって、前記符号列から復号対象ブロックごとに、画像間予測モードを示す予測モード情報と参照ブロックのインデックス、または画像間予測モードを示す予測モード情報と参照ブロックのインデックスと参照ブロックに対応した差分動きベクトルとを復号する第１ステップと、前記復号対象ブロックの複数の参照ブロック候補の符号化情報を取得する第２ステップと、前記第１ステップにより復号された予測モード情報の示す画像間予測モードが、インデックスによって特定される参照ブロックの前記符号化情報が備える動きベクトルの情報を用いる第１の画像間予測モードである場合に、第１の所定順位に基づいて前記複数の参照ブロック候補から第１の候補リストを生成し、前記第１ステップにより復号された参照ブロックのインデックスをもとに、前記第１の候補リストから前記復号対象ブロックの参照ブロックを特定し、その符号化情報を出力する第３ステップと、前記第１ステップにより復号された予測モード情報の示す画像間予測モードが、インデックスによって特定される参照ブロックに対応した差分動きベクトルを用いる第２の画像間予測モードである場合に、第２の所定順位に基づいて前記複数の参照ブロック候補から第２の候補リストを生成し、前記第１ステップにより復号された参照ブロックのインデックスをもとに、前記第２の候補リストから前記復号対象ブロックの参照ブロックを特定し、当該参照ブロックの前記符号化情報が備える動きベクトルの情報に基づく予測動きベクトルと前記第１ステップにより復号された差分動きベクトルから前記復号対象ブロックの動きベクトルを算出して出力する第４ステップと、前記第３ステップまたは前記第４ステップにより出力された情報をもとに、前記第１ステップにより復号された予測モード情報の示す画像間予測モードを用いて動き補償を行い予測画像を生成する第５ステップと、を備える。前記第３ステップ及び前記第４ステップは、前記複数の参照ブロック候補として、共通の複数のブロックを使用し、前記第３ステップにおいて生成される前記第１の候補リストに参照ブロック候補を配列する為の前記第１の所定順位と、前記第４ステップにおいて生成される前記第２の候補リストに参照ブロック候補を配列する為の前記第２の所定順位は異なる。
【手続補正５】
【補正対象書類名】明細書
【補正対象項目名】００１５
【補正方法】変更
【補正の内容】
【００１５】
本発明の別の態様は、受信装置である。この装置は、動画像が符号化された符号列を受信して復号する受信装置であって、動画像の各ピクチャを分割したブロック単位で動きベクトルを用いて符号化された符号列がパケット化された符号化ストリームを受信する受信部と、受信された前記パケット化された符号化ストリームをパケット処理して元の符号列を復元する復元部と、復元された前記元の符号列から復号対象ブロックごとに、画像間予測モードを示す予測モード情報と参照ブロックのインデックス、または画像間予測モードを示す予測モード情報と参照ブロックのインデックスと参照ブロックに対応した差分動きベクトルとを復号する符号列復号部（２０２）と、前記復号対象ブロックの複数の参照ブロック候補の符号化情報を取得する取得部（２０５）と、前記符号列復号部（２０２）により復号された予測モード情報の示す画像間予測モードが、インデックスによって特定される参照ブロックの前記符号化情報が備える動きベクトルの情報を用いる第１の画像間予測モードである場合に、第１の所定順位に基づいて前記複数の参照ブロック候補から第１の候補リストを生成し、前記符号列復号部（２０２）により復号された参照ブロックのインデックスをもとに、前記第１の候補リストから前記復号対象ブロックの参照ブロックを特定し、その符号化情報を出力する第１のモード出力部（２０６）と、前記符号列復号部（２０２）により復号された予測モード情報の示す画像間予測モードが、インデックスによって特定される参照ブロックに対応した差分動きベクトルを用いる第２の画像間予測モードである場合に、第２の所定順位に基づいて前記複数の参照ブロック候補から第２の候補リストを生成し、前記符号列復号部により復号された参照ブロックのインデックスをもとに、前記第２の候補リストから前記復号対象ブロックの参照ブロックを特定し、当該参照ブロックの前記符号化情報が備える動きベクトルの情報に基づく予測動きベクトルと前記符号列復号部（２０２）により復号された差分動きベクトルから前記復号対象ブロックの動きベクトルを算出して出力する第２のモード出力部（２０４）と、前記第１のモード出力部（２０６）または前記第２のモード出力部（２０４）から出力された情報をもとに、前記符号列復号部（２０２）により復号された予測モード情報の示す画像間予測モードを用いて動き補償（２０７）を行い予測画像を生成する動き補償予測部と、を備える。前記第１のモード出力部（２０６）及び前記第２のモード出力部（２０４）は、前記複数の参照ブロック候補として、共通の複数のブロックを使用し、前記第１のモード出力部（２０６）により生成される前記第１の候補リストに参照ブロック候補を配列する為の前記第１の所定順位と、前記第２のモード出力部（２０４）により生成される前記第２の候補リストに参照ブロック候補を配列する為の前記第２の所定順位は異なる。
【手続補正６】
【補正対象書類名】明細書
【補正対象項目名】００１７
【補正方法】変更
【補正の内容】
【００１７】
本発明の別の態様は、受信方法である。この方法は、動画像が符号化された符号列を受信して復号する受信方法であって、動画像の各ピクチャを分割したブロック単位で動きベクトルを用いて符号化された符号列がパケット化された符号化ストリームを受信する受信ステップと、受信された前記パケット化された符号化ストリームをパケット処理して元の符号列を復元する復元ステップと、復元された前記元の符号列から復号対象ブロックごとに、画像間予測モードを示す予測モード情報と参照ブロックのインデックス、または画像間予測モードを示す予測モード情報と参照ブロックのインデックスと参照ブロックに対応した差分動きベクトルとを復号する第１ステップと、前記復号対象ブロックの複数の参照ブロック候補の符号化情報を取得する第２ステップと、前記第１ステップにより復号された予測モード情報の示す画像間予測モードが、インデックスによって特定される参照ブロックの前記符号化情報が備える動きベクトルの情報を用いる第１の画像間予測モードである場合に、第１の所定順位に基づいて前記複数の参照ブロック候補から第１の候補リストを生成し、前記第１ステップにより復号された参照ブロックのインデックスをもとに、前記第１の候補リストから前記復号対象ブロックの参照ブロックを特定し、その符号化情報を出力する第３ステップと、前記第１ステップにより復号された予測モード情報の示す画像間予測モードが、インデックスによって特定される参照ブロックに対応した差分動きベクトルを用いる第２の画像間予測モードである場合に、第２の所定順位に基づいて前記複数の参照ブロック候補から第２の候補リストを生成し、前記第１ステップにより復号された参照ブロックのインデックスをもとに、前記第２の候補リストから前記復号対象ブロックの参照ブロックを特定し、当該参照ブロックの前記符号化情報が備える動きベクトルの情報に基づく予測動きベクトルと前記第１ステップにより復号された差分動きベクトルから前記復号対象ブロックの動きベクトルを算出して出力する第４ステップと、前記第３ステップまたは前記第４ステップにより出力された情報をもとに、前記第１ステップにより復号された予測モード情報の示す画像間予測モードを用いて動き補償を行い予測画像を生成する第５ステップと、を備える。前記第３ステップ及び前記第４ステップは、前記複数の参照ブロック候補として、共通の複数のブロックを使用し、前記第３ステップにおいて生成される前記第１の候補リストに参照ブロック候補を配列する為の前記第１の所定順位と、前記第４ステップにおいて生成される前記第２の候補リストに参照ブロック候補を配列する為の前記第２の所定順位は異なる。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】